(57)【要約】本発明は、貴重書類や紙幣などを保管するための少なくとも１つの機構（１０〜１３）を有する警報付き貴重品保管スペース（１）に関連した方法及び装置であって、窃盗の企て及び／または不正操作に応答して、破壊剤（６１）が貴重書類（１００）を破壊するようにした方法及び装置に関する。上記貴重書類を破壊する必要に応じて、破壊剤容器（６０、６３）を開口させ、それにより、貴重書類収集機構（３０）を少なくとも部分的に内部に収容している回収槽（５０）内へ破壊剤を移動させる。破壊剤の量は、回収槽（５０）が破壊剤（６１）を溢れさせることなく収容することができるような量である。破壊剤容器（６０、６３）は、回収槽（５０）の上方に設置され、それにより、警報の作動時に、破壊剤（６１）が回収槽内に流れ込むか、または降り込むであろう。
2005523395.tif 000002
【特許請求の範囲】
【請求項１】
貴重書類や紙幣などを保管するための少なくとも１つの機構（１０〜１３）を有する警報付き貴重品保管スペースに関する方法において、
窃盗の企て及び／または不正操作の企ての際に、破壊機構（６１）が貴重書類（１００）を破壊するようにした方法であって、破壊の必要に応じて破壊剤容器（６０、６３）を開口させることであって、
それにより、破壊剤をドラムの形の貴重書類収集機構（３０）を収容する回収槽（５０）へ移動させ、
前記ドラムは前記槽内に少なくとも部分的に配置されており、
前記貴重書類（１００）は、キャリヤフィルムまたはフォイル（４０、４１）に助けられて前記ドラム（３０）上に巻取られ、
前記キャリヤフィルムまたはフォイルは、前記槽（５０）内に存在する破壊剤を、前記ドラムに巻取られている前記貴重書類（１００）内へ毛管作用的に引き込む働きをすることを特徴とする方法。
【請求項２】
溢れさせることなく、前記回収槽（５０）によって処理することができる量の破壊剤（６１）を使用することを特徴とする、請求項１に記載の方法。
【請求項３】
前記破壊剤容器（６０、６３）を前記回収槽（５０）の上方に設置し、それにより、警報の始動時に前記破壊剤（６１）が前記回収槽内へ流れ込むか、または降り込むようにすることを特徴とする、請求項１または２に記載の方法。
【請求項４】
警報機構（２３）によって発せられるコマンドに応答して、穴開け機構（６４）によって破壊剤容器ケーシング（６３）に穴を開けることを特徴とする、請求項１〜３のいずれか一項に記載の方法。
【請求項５】
窃盗の企て、及び／不正操作に応答して、貴重書類を収容している収集機構（３０）だけに破壊手段（６１）を加えることを特徴とする、請求項１〜４のいずれか一項に記載の方法。
【請求項６】
貴重書類や紙幣などを保管するための少なくとも１つの機構（１０〜１３）を有する警報付き貴重品保管スペースに関する装置において、
窃盗の企て及び／または不正操作に応答して貴重書類（１００）を破壊することを意図する破壊剤（６１）を有する装置であって、
ドラムの形をした貴重書類（１００）用の収集機構（３０）が、警報に応じて発射される破壊剤（６１）を受け取るようにした回収槽（５０）内に少なくとも部分的に配置されており、
また、前記貴重書類（１００）は、キャリヤフィルムまたはフォイル（４０、４１）に助けられて前記ドラム（３０）上に巻取られることを特徴とする装置。
【請求項７】
警報制御形破壊剤容器（６０、６３）が、前記回収槽（５０）の上部開口の上方に配置されていることを特徴とする、請求項６に記載の装置。
【請求項８】
前記貴重書類（１００）を保管するための前記保管機構（１０〜１３）は、前記回収槽（５０）内に回転可能に取り付けられた前記ドラム（３０）を有することを特徴とする、請求項６または７に記載の装置。
【請求項９】
窃盗の企て及び／または不正操作に関連して前記破壊剤（６１）を放出する働きをする警報制御型穴開け手段（６４）を有することを特徴とする、請求項６〜８のいずれか一項に記載の装置。
【請求項１０】
現金支払機、預入機、自動預金支払機または同様な装置に適用されることを特徴とする、請求項１〜５のいずれか一項に記載の方法の使用。
【請求項１１】
現金支払機、預入機、自動預金支払機及び同様な装置に使用されることを特徴とする、請求項６〜９のいずれか一項に記載の装置の使用。
【発明の詳細な説明】
【技術分野】
【０００１】
本発明は、請求項１の前文に従った貴重書類収容用の室またはスペースに関連した方法に関する。本発明はまた、そのようなスペースまたは室の構造（arrangement）及び使用に関する。
【０００２】
たとえば、紙幣（banknotes）、小切手及び他の種類の書類の形の貴重書類を収納する室または安全保管機構に関しては、保管機構（devices）に侵入しようとする場合、書類を使いものにならないようにする必要がある。このために、たとえば、何らかの破壊手段が使用されている。
【０００３】
スウェーデン特許出願公開第５１４４７０号明細書は、ドラム上に配置された貴重書類の方に向けられた円形くぼみを用いて、くぼみ内に破壊手段を収容し、爆発性物質が、警報の作動に応答して破壊手段を移動させ、それによってその物品に着色してそれらを無価値化する破壊装置を備えた貴重品収納キャビネットまたは容器の一例を記載している。
【０００４】
この種の装置の１つの問題は、破壊手段または染料が、爆発の結果として非常に激しく分散され、そのため、容器部品の多くが破壊されるか、重大な損傷を受ける危険にさらされ、結果的にとりわけ修理及び修復作業が高価になる。
【０００５】
たとえば、現金支払機、預入機、自動預金支払機、現金装置及び同様な装置に関連したドラム巻取り形貴重書類の有効な着色または破壊を行う必要性が高い。これらの物品の破壊または着色は通常、関係する機械または装置内に設置された何らかの適当な形式の警報手段によって開始される。
【０００６】
本発明の目的は、上記要件を非常に高レベルに満たす方法及び装置を提供することである。この目的は、添付の特許請求の範囲に記載されている特徴に従った方法及び装置で達成される。
【０００７】
本発明に従った装置の構成及び構造は、非常に激しいレベルの破壊を行いながら、同時に、物品収容スペースまたは室内の周囲部品に関しては特に緩い（lenient）ようなものである。破壊装置はまた、技術的及び経済的利点も与える。
【０００８】
次に、本発明を、その例示的な実施形態及び添付図面を参照しながら、より詳細に説明する。
【０００９】
図１は、貴重品収容スペースまたはキャビネット１を示し、これは、そのスペース／キャビネット１への侵入の企てを検出し／知らせるようにした保護シェルまたは外側ケーシング２を有する。
【００１０】
スペース１内に多数の保管ユニット１０〜１３が収容されており、その各々は、紙幣１００などの複数の貴重書類を収容することを目的としている。シェルで保護されたスペース１はプロセッサ２０も収容しており、これは、保管ユニット１０〜１３内の貴重書類の利用度に関する情報を常に与えられている。シェルで保護されたスペース１は、貴重書類をそれに予定されたユニット１０〜１３に搬送する働きをする搬送部２１も収容しており、これにより、たとえば、ある金種の紙幣が特定の保管ユニットへ、及び／またはそれから送られる。物品搬送経路２２が図１に矢印線で示されている。シェルで保護されたスペース１はまた、警報機構２３も収容しており、これは、スペースまたはキャビネット１及びその内容物に加えられる窃盗の企て、または異なった種類の不正操作介入を検出するために設けられている。理解されるように、キャビネットまたはスペース１が現金支払機または預入機として機能するとき、キャビネット１はこれらの目的に必要な機構も備えるであろう。
【００１１】
保管ユニット１０〜１３は以下の構造を有する。各保管ユニットは、円筒形中央部分３１及び端壁部３２、３３を有する回転可能なドラム３０の形の貴重書類キャリヤを有する。ドラム３０は、たとえば、可逆ステップモータ（図示せず）などの電気モータの形の駆動手段と、ドラム３０をそれの周囲に対して回転可能に取り付けるための端部ジャーナル３４、３５とを備えている。問題の貴重書類は、可逆回転可能なローラ４２、４３上に好都合に配置されたキャリヤフィルムまたはフォイル４０、４１に助けられてドラム３０上に巻取られる。図１からわかるように、キャリヤフィルム４０、４１の必要な案内を行うために、ガイドローラ４４〜４６が設けられている。紙幣１００は、矢印２５で示されているように、キャリヤフィルム４０、４１間に送り込まれる。ドラム３０及びローラ４２〜４６の回転方向を逆転させることによって、紙幣がドラム３０から送り出される。もちろん、図示のキャリヤフィルム構造は多くの異なった方法で変更することができ、キャリヤフィルムへの紙幣／貴重書類の付着が同時に確保されるのであれば、単一のキャリヤフィルムだけを使用することも可能であることが理解されるであろう。必要ならば、キャリヤフィルム／キャリヤフォイルをせん孔し、かつ／または何らかの方法で凹凸をつけても（profiled）よい。プロセッサ２０は、保管ユニット１０〜１３の制御の実施及び／または監視を行って、確実に該当金種の紙幣が対応のドラム３０に送られ、それから取り出されるようにすることができ、また、その時点でそれぞれのドラム３０上に見られる紙幣／貴重書類の数に関する情報を常に受け取る。
【００１２】
本発明によれば、ドラム３０は、タブまたは回収槽５０内に入れられており、ドラム３０は、ドラムの端部ジャーナル３４、３５及びその槽の端壁部５３、５４間の軸受点５１、５２で、槽５０内で回転するように取り付けられている。図２及び図３から明らかなように、槽５０の底部分５５は、比較的小さい隙間を間において紙幣担持ドラム３０の外形にほぼ一致する形状である。槽５０の側縁部５６、５７はほぼ垂直であって、ドラム３０を槽にはめ込むとき、ドラム３０をそれの使用位置まで降下させることができる。もちろん、槽５０はキャビネット１内に設けられている他の機構と共に、有効な支持構造体（図示せず）によって支持されている。
【００１３】
破壊媒体容器６０が、槽５０の上方に配置されている。容器６０は外側容器６２を有し、これは槽５０の上縁部５８に接続されて、それにより、破壊剤６１、たとえば、着色顔料または染料が槽５０内へ、少なくともほぼ漏れを生じずに流れ落ち、それによってドラム３０内の貴重書類／紙幣１００全体に注がれて、それらの物品に効果的に着色することができるであろう。容器６０及び槽５０間の移行／接合部６６に適当なシール（図示せず）を設けてもよい。代替として、槽５０に取り外し可能にはめ付けられる容器６０を槽５０の上部開口より小さい寸法にして、漏れを伴わないで液体を確実に移送できるようにしてもよい。このように、容器６０は、たとえば、フォイルケーシング６３の形の内側容器内に封入されている破壊剤６１を収容し、もちろん、外側容器６２はフォイルケーシング６３に必要な支持を行うことができるようになっている。
【００１４】
容器６０は、必要時にケーシング６３に穴を開ける手段も備えて、それにより、破壊剤内容物６１がドラム３０に降りかかって槽５０に流れ込むことができる。穴開け機構は、多くの異なった形の１つ、たとえば、作動時にケーシング６３に切れ目を入れる可動カッタの形にしてもよい。ケーシング６３は、代替として、ケーシング６３を開口すべきときに破裂させる引き裂きくぼみまたは脆弱部などで穴を開けてもよい。機械式穴開け機構６４が図２及び図３に示されている。しかし、多くの異なった形式の穴開け機構を本発明の範囲内で使用することができるは理解されるであろう。たとえば、電気加熱ワイヤによってケーシング６３に穴を開けてもよい。１つまたは複数の遠隔操作逃がし弁をこの目的に使用してもよい。
【００１５】
槽５０の上部分か、槽５０及び容器６０間の接合部の領域６６内にスロット７０を設けて、フォイルストリップ４０、４１及び貴重書類１００が所望通りにドラム３０内へ、またはドラム３０から移動することができるようにする。必要ならば、スロット７０にシール手段（図示せず）を設けてもよい。ガイドローラ４６の配置がスロット７０の配置を決定し、このことはもちろん、多くの変更が可能であることを意味する。
【００１６】
警報の作動に応答して槽５０が十分に満たされるが、ドラム３０が最大数の紙幣／貴重書類１００を担持しているときでも、破壊剤が溢れる危険がないように、破壊剤６１の量が好都合に決定される。
【００１７】
警報ユニット／警報機構２３は、異なった種類の窃盗の企て及び／または不正操作を知らせる多数の警報センサまたは機構と通信する。適当な知らせの非制限的な例として、保護シェル２を破壊して開くか、せん孔すること、スペースまたはキャビネット１を破裂させること、異なった操作プロセスによって紙幣を不法に引き出すこと、及び温度攻撃などによって窃盗が企てられる時である。本装置はまた、貴重品保管スペースを傾斜させようと企てられると、警報の作動を開始させるようにした１つまたは複数の傾斜センサも有することができる。
【００１８】
警報機構２３も、プロセッサ２０と通信する。
【００１９】
警報が作動したとき、以下の事象が起きる。
【００２０】
窃盗の企てか、または何らかの他の非合法的攻撃／操作が警報機構２３によって知らされると、その機構はプロセッサ２０と協働して、この場合は貴重書類／紙幣１００を収容している保管ユニット１０〜１３内の破壊剤６１の発射を開始させる。ケーシング６３に穴を開けるか、それを開口させる穴開け手段６４の作動によって破壊剤６１が放出され、それにより、破壊剤６１がドラム３０及びそれに巻取られている紙幣１００に降りかかり、この破壊剤６１は回収槽５０に流れ込むので、この槽がこの破壊剤でかなりの程度まで満たされる。紙幣はそれによって着色されるか、何らかの他の方法で破壊され、それにより、支払い手段として使いものにならなくなる。放出された破壊剤は槽５０内で回収されるので、キャビネット１を後に元の状態に復元するときに必要な修復手段が最小限に抑えられる。各ドラム３０上の紙幣の量の情報を常に与えられるプロセッサ２０は、たとえば、ドラムに担持された紙幣の着色を開始する必要がある時点で、破壊する必要がある保管ユニット内の破壊剤だけを放出できるようにすることにより、修復の要求事項も最小限に抑えられる。
【００２１】
本発明に関連した構造的解決策は、発明の概念の範囲内において多くの異なった方法で変更することができることは、理解されるであろう。
【００２２】
回収槽５０の内部でドラム３０を回転駆動式に取り付けることにより、駆動手段とドラム３０との接続点に密封移行部を設ける必要がなくなる。
【００２３】
槽５０は、たとえば射出成形されるプラスチック材料で形成することができ、それにより、ドラム３０及び周囲の構成部品とを良好に接続して構成することができる。
【００２４】
破壊剤の量は、もちろん、必要に応じて変化させることができるが、破壊剤が槽を少なくともドラムの中心軸の高さまで満たすことが通常、好都合である。
【００２５】
必要ならば、破壊処理中にドラムを回転させることによって、破壊剤の効率を高めることができる。
【００２６】
二成分または多成分破壊剤を使用したいとき、対応数のケーシング／容器６３及び穴開け手段が使用される。
【００２７】
破壊剤のより激しい分散を望む場合、穴開け及び／またはケーシング及び容器からの破壊剤の放出を行うために爆発性物質を使用することができる。しかし、この場合、確実に容器６０の上部にシール蓋などのカバー手段を必ず設ける必要がある。
【００２８】
理解されるように、合法的指示がない状態でドラム３０を送出（dispensing）方向に回転させ、それによって紙幣／貴重書類がドラムから送り出されるとき、破壊機構が始動する。破壊剤を発射するために必要な基準の数はもちろん、一般的な実際の要件に適合させることができる。
【００２９】
もちろん、発明的概念の範囲内においてさらなる構造変更が可能である。たとえば、容器６０の構造及び破壊剤配置を多くの異なった方法で変更してもよい。外側容器６２及び内側容器６３はもちろん、互いに一体化して、構造的に単一品などを形成することなどができる。
【００３０】
理解されるように、１つの保管ユニットだけを有する貴重品保管スペースまたはキャビネットを設けることも可能であり、それは、ドラムすなわち物品収集機構が金種の混ざった紙幣を収容する場合であろう。
【００３１】
この貴重書類を収集する手段の構成及び構造は、貴重書類をこの収集手段へ、またはそれから送る構造と共に、本発明の範囲内で変更することもできる。
【００３２】
警報機構及び／またはプロセッサは、貴重品保管スペース／キャビネットとの通信を安全に確保することができれば、貴重品保管スペース／キャビネットの外に配置してもよいことにも留意されたい。警報機構のセンサの配置はもちろん、一般的な要件に適応させられ、たとえば、圧力センサ、移動センサ、傾動センサ／傾斜センサ、温度センサ／煙センサなどを使用することができる。警報レベルを変更することもできる。
【００３３】
貴重書類の着色／破壊を促進するために、好ましくはドラム壁３２及び３３をせん孔することに留意されたい。
【００３４】
フォイル４０及び４１は通常、ドラム巻付け貴重書類による破壊剤の毛管吸収をもたらす、すなわち、多くの場合、満足できる破壊結果を達成するのには、比較的少量の破壊剤で十分であろう。たとえば、回収槽５０内の液位／破壊剤高さが比較的低くても、ほとんどの場合に破壊結果が満足できるであろう。
【００３５】
したがって、本発明は、以上に説明して図示した実施形態に制限されず、添付の特許請求の範囲内で修正及び変化が考えられる。
【図面の簡単な説明】
【００３６】
【図１】本発明に従った破壊機構を備えた貴重書類収容キャビネットの概略的な縦断面図である。
【図２】破壊機構を拡大して概略的に示す破断側面図である。
【図３】概略的に示された破壊機構の長手方向断面図である。
【図１】
2005523395.tif 000003
【図２】
2005523395.tif 000004
【図３】
2005523395.tif 000005
【国際調査報告】
2005523395.tif 000006
2005523395.tif 000007